【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
印刷装置であって、
互いに競合する印刷設定の組み合わせを複数記憶する記憶手段と、
前記記憶手段に記憶された複数の組み合わせに含まれる第１の組み合わせを情報処理装置へ通知し、前記第１の組み合わせとは異なる第２の組み合わせであって、前記記憶手段に記憶された前記複数の組み合わせに含まれる前記第２の組み合わせを前記情報処理装置へ通知しない第１通知手段と、
前記第１の組み合わせが発生しないように前記情報処理装置で設定された印刷設定を受信する受信手段と、
前記第２の組み合わせに基づき、前記受信した印刷設定が互いに競合する設定を含まないかどうかを検証する検証手段であって、前記受信した印刷設定が互いに競合する印刷設定を含まないかどうかを検証する際に前記記憶された複数の組み合わせに含まれる少なくとも１つの前記第１の組み合わせを使用しない、前記検証手段と、
前記検証の結果を前記情報処理装置へ通知する第２通知手段と
を備えることを特徴とする印刷装置。
【請求項２】
互いに競合する前記印刷設定の前記第１の組み合わせを設定する設定画面を表示する表示手段と、
表示された前記設定画面を介したユーザ入力に従って、互いに競合する前記印刷設定の第１の組み合わせを設定する設定手段と
をさらに備えることを特徴とする請求項１に記載の印刷装置。
【請求項３】
前記表示手段及び前記設定手段によって、ユーザが入力する可能性の高い前記印刷設定を含む禁則条件、禁則条件となる前記印刷設定の項目数を制限する禁則条件、又は、前記印刷装置のベンダー独自の禁則条件を、互いに競合する前記印刷設定の前記第１の組み合わせとして設定可能であることを特徴とする請求項２に記載の印刷装置。
【請求項４】
前記表示手段及び前記設定手段によって、ユーザが入力する可能性の高い印刷設定を含む前記禁則条件については、該禁則条件となる設定項目を個別に選択可能であることを特徴とする請求項３に記載の印刷装置。
【請求項５】
前記検証手段は、前記情報処理装置で設定される印刷設定が更新されるたびに、更新された前記印刷設定が前記第２の組み合わせに基づく互いに競合する印刷設定を含むかどうかを検証することを特徴とする請求項１乃至４の何れか１項に記載の印刷装置。
【請求項６】
前記情報処理装置で表示される設定画面では、受信した前記第１の組み合わせも基づいて印刷設定が制限されることを特徴とする請求項１乃至５の何れか１項に記載の印刷装置。
【請求項７】
前記印刷装置と前記情報処理装置との間の通信は、ＩＰＰ（Ｉｎｔｅｒｎｅｔ Ｐｒｉｎｔｉｎｇ Ｐｒｏｔｏｃｏｌ）通信を用いて行われることを特徴とする請求項１乃至６の何れか１項に記載の印刷装置。
【請求項８】
前記第２通知手段は、前記受信した印刷設定が前記第２の組み合わせに対応する設定を含まない場合に、検証に成功したことを前記情報処理装置に通知することを特徴とする請求項１乃至７の何れか１項に記載の印刷装置。
【請求項９】
前記第２通知手段は、前記受信した印刷設定が前記第２の組み合わせに対応する設定を含む場合に、検証に失敗したことを前記情報処理装置に通知することを特徴とする請求項１乃至８の何れか１項に記載の印刷装置。
【請求項１０】
前記検証手段は、前記受信した印刷設定の送信元が前記第１の組み合わせの通知先と同じであるかどうかを判定し、前記送信元が前記通知先と異なる場合には、前記第１の組み合わせと前記第２の組み合わせとの両方に基づいて、前記受信した印刷設定が互いに競合する設定を含まないかどうかを検証することを特徴とする請求項１乃至９の何れか１項に記載の印刷装置。
【請求項１１】
前記受信手段は、前記情報処理装置から印刷設定とともに前記検証の要求を受信し、
前記検証手段は、前記受信した要求に応じて、前記第２の組み合わせに基づいて、前記受信した印刷設定が互いに競合する設定を含まないかどうかを検証し、前記記憶される複数の組み合わせに含まれる前記第１の組み合わせの少なくとも１つに基づいて、前記受信した印刷設定が互いに競合する設定を含むかどうかは検証しないことを特徴とする請求項１乃至１０の何れか１項に記載の印刷装置。
【請求項１２】
前記受信手段は、前記検証の成功を示す前記検証の結果を受信した前記情報処理装置から印刷データを受信することを特徴とする請求項１乃至１１の何れか１項に記載の印刷装置。
【請求項１３】
互いに競合する印刷設定の組み合わせを複数記憶する記憶手段を備える印刷装置の制御方法であって、
第１通知手段が、前記記憶手段に記憶された複数の組み合わせに含まれる第１の組み合わせを情報処理装置へ通知し、前記第１の組み合わせとは異なる第２の組み合わせであって、前記記憶手段に記憶された前記複数の組み合わせに含まれる前記第２の組み合わせを前記情報処理装置へ通知しない第１通知工程と、
受信手段が、前記第１の組み合わせが発生しないように前記情報処理装置で設定された印刷設定を受信する受信工程と、
検証手段が、前記第２の組み合わせに基づき、前記受信した印刷設定が互いに競合する設定を含まないかどうかを検証する検証工程であって、前記受信した印刷設定が互いに競合する印刷設定を含まないかどうかを検証する際に前記記憶された複数の組み合わせに含まれる少なくとも１つの前記第１の組み合わせを使用しない、前記検証工程と、
第２通知手段が、前記検証の結果を前記情報処理装置へ通知する第２通知工程と
を含むことを特徴とする印刷装置の制御方法。
【請求項１４】
互いに競合する印刷設定の組み合わせを複数記憶する記憶手段を備える印刷装置の制御方法における各工程をコンピュータに実行させるためのプログラムであって、前記制御方法は、
第１通知手段が、前記記憶手段に記憶された複数の組み合わせに含まれる第１の組み合わせを情報処理装置へ通知し、前記第１の組み合わせとは異なる第２の組み合わせであって、前記記憶手段に記憶された前記複数の組み合わせに含まれる前記第２の組み合わせを前記情報処理装置へ通知しない第１通知工程と、
受信手段が、前記第１の組み合わせが発生しないように前記情報処理装置で設定された印刷設定を受信する受信工程と、
検証手段が、前記第２の組み合わせに基づき、前記受信した印刷設定が互いに競合する設定を含まないかどうかを検証する検証工程であって、前記受信した印刷設定が互いに競合する印刷設定を含まないかどうかを検証する際に前記記憶された複数の組み合わせに含まれる少なくとも１つの前記第１の組み合わせを使用しない、前記検証工程と、
第２通知手段が、前記検証の結果を前記情報処理装置へ通知する第２通知工程と
を含むことを特徴とするプログラム。
【手続補正２】
【補正対象書類名】明細書
【補正対象項目名】０００８
【補正方法】変更
【補正の内容】
【０００８】
本発明は、例えば、印刷装置であって、互いに競合する印刷設定の組み合わせを複数記憶する記憶手段と、前記記憶手段に記憶された複数の組み合わせに含まれる第１の組み合わせを情報処理装置へ通知し、前記第１の組み合わせとは異なる第２の組み合わせであって、前記記憶手段に記憶された前記複数の組み合わせに含まれる前記第２の組み合わせを前記情報処理装置へ通知しない第１通知手段と、前記第１の組み合わせが発生しないように前記情報処理装置で設定された印刷設定を受信する受信手段と、前記第２の組み合わせに基づき、前記受信した印刷設定が互いに競合する設定を含まないかどうかを検証する検証手段であって、前記受信した印刷設定が互いに競合する印刷設定を含まないかどうかを検証する際に前記記憶された複数の組み合わせに含まれる少なくとも１つの前記第１の組み合わせを使用しない、前記検証手段と、前記検証の結果を前記情報処理装置へ通知する第２通知手段とを備えることを特徴とする。